(57)【特許請求の範囲】
【請求項１】
筒状の容器本体と該容器本体にはめこまれた蓋からなる筒状容器について、該筒状容器の外周で前記容器本体と蓋との境界線部に沿ってテーピング材を張り付けて封緘するための封函治具において、
前記蓋の中心部からそれぞれ半径方向に延びる３本のアーム部材を三つ又状に形成した治具本体と前記テーピング材を保持するテープホルダとを備え、該治具本体を前記筒状容器の蓋上に載置して回転させることによりテーピングをおこなうようにした封函治具であって、
前記３本のアーム部材のうち２方向に延びるアーム部材の各端部に前記筒状容器の外周面に当接して前記治具本体の回転を案内するガイド部材をそれぞれ設け、かつ、そのうち１つのアーム部材を固定アーム部材と移動アーム部材からなる部材間にスプリングを介して伸縮可能に結合した伸縮アーム部材として構成すると共に、
他の１方向に延びるアーム部材の端部には前記テープホルダと前記テーピング材を案内するテープ案内手段を設けてなり、
前記テープ案内手段が、前記テーピング材を前記アーム部材の直下で前記境界線部に押圧する固定テーピングローラと、該固定テーピングローラに前記テーピング材を前記テープホルダから案内すると共に前記境界線部に接触可能に揺動する案内ローラと、前記固定テーピングローラと案内ローラとの間に上下動操作可能に設けられ内刃を上昇動することにより前記テーピング材を切断する切断刃とからなるものである
ことを特徴とする封函治具。
【発明の詳細な説明】
【０００１】
【発明の属する技術分野】
本発明は、封函治具に関し、より詳細には、医薬、農薬、化学、食品等の分野で用いられる流体、粉粉体等の原材料や製品を梱包、輸送するためのオール紙製のファイバドラム等の筒状容器の封緘に用いる封函治具に関する。
【０００２】
【従来の技術】
従来のファイバドラムは、紙製の円筒状胴部及び底板の境界外周部を表面処理鋼板からなる補強部材で補強してなる容器本体と、表面処理鋼板又はベニヤ合板製の上蓋と、該容器本体と上蓋とを封函するためのレバー式バンドを有する金具とで構成され、容器本体と上蓋とは金具のレバー式バンドの開閉によって取り外しができるようにしている。しかしながら、該ファイバドラムは、製造過程で金具の巻き付け（組み込み）工程が必要となるなど工程が複雑になると共に、また廃棄処理する場合にも金具や補強部材等の金属部分が残るために焼却処理や再生利用ができないという不都合がある。
【０００３】
そこで、最近は、筒状容器本体及び上蓋のすべてを紙だけで成形した所謂オールファイバドラムが用いられるようになっている。このオールファイバドラムにあっては、紙製の筒状容器本体と上蓋とを粘着テープ等のテーピング材によって封函することができるので、金具や補強部材等の金属部分がなくなってコストが廉価になり、しかも筒状容器に金属が混じらないので、完全焼却や再生利用が可能になるという利点がある。
そこで、従来、このような紙製の筒状容器本体と上蓋とを粘着テープ等のテーピング材によって封函する治具として、種々の接着テープ貼付装置が用いられている。
例えば、ある種の接着テープ貼付装置では、フレームの一側に回転自在に取付けた粘着テープホルダと、このテープホルダから巻き出された接着テープをドラム周辺に圧着するための圧着ローラと、先端案内ローラと、テープカッタと、回転把手を支持する軸と、摺動案内ローラ等から構成されており、蓋の上縁の周面に沿って圧着ローラを回転させて、接着テープを筒状容器本体と上蓋との境界部に沿って巻き付けて接着することにより封函するようにしている。
【０００４】
【発明が解決しようとする課題】
しかし、上述した従来的なオールファイバドラムの封函治具は、周縁が上方へ突出して円筒部を形成している蓋の封函用であり、次のような課題がある。すなわち、
(1) オールファイバドラムの蓋の周縁が上方へ突出していないものでは、蓋上で装置が作動するように管理し、蓋上から落下しないしないようにしなければならず、この管理の作業が大変であり、実際問題として、平らな蓋には適用できなかった。
(2) フレームの一端にテープテーピング材を接着させる機構を集中させているので、安定性が悪く操作に強い力を必要とし、作業が容易でなかった。
等の課題がある。
【０００５】
本発明は、上述した課題に対処して創案したものであって、その目的とする処は、汎用性があり、簡単な作業で容易に封緘を行うことができる封函治具を提供することにある。
【０００６】
【課題を解決するための手段】
そして、上記目的を達成するための手段としての本発明の封函治具は、筒状の容器本体と該容器本体にはめこまれた蓋からなる筒状容器について、該筒状容器の外周で前記容器本体と蓋との境界線部に沿ってテーピング材を張り付けて封緘するための封函治具の改善であって、該封函治具は複数のアーム部材を有する治具本体と前記テーピング材を保持するテープホルダとを備え、該複数のアーム部材の半径方向外方の端部に前記筒状容器の外周面に当接して前記治具本体の回転を案内するガイド部材が設けられると共に、該複数のアーム部材の内の少なくとも１つのアーム部材には前記境界線部に前記テーピング材を案内するテープ案内手段が設けられている構成としている。
【０００７】
ここで、前記複数のアーム部材の内の少なくとも１つのアーム部材が固定アーム部材と該固定アーム部材に移動可能に設けられた移動アーム部材とからなる伸縮可能なアーム部材である構成としている。
また、前記テープ案内手段及びテープホルダが半径方向外方に延びた前記１つのアーム部材の先端部に設けられている構成としている。
また、前記治具本体が前記蓋の中心部から半径方向外方に延びる３本のアーム部材を有する三つ又状に形成されている構成としている。
さらに、前記テープホルダが半径方向外方に延びた前記アーム部材の先端部に上下位置を調節可能に設けられている構成としている。
さらにまた、前記テープ案内手段の構成は、前記テーピング材を前記アーム部材の直下で前記境界線部に押圧する固定テーピングローラと、該固定テーピングローラに前記テーピング材を前記テープホルダから案内すると共に前記境界線部に接触可能に揺動する案内ローラと、前記固定テーピングローラと案内ローラとの間に上下動操作可能に設けられ内刃を上昇動することにより前記テーピング材を切断する切断刃とからなるものとしている。
【０００８】
【作用】
本発明の封函治具は、複数のアーム部材を有する治具本体を備え、該複数のアーム部材の先端部に前記筒状容器の外周面に当接して前記治具本体の回転を案内するガイド部材が設けられ、該複数のアーム部材の内の少なくとも１つのアーム部材には前記境界線部に当接するテープ案内手段が設けられ、前記テーピング材を保持するテープホルダが設けられていることから、治具本体を筒状容器の上蓋または下蓋上に載置して、複数のアーム部材の半径方向外方の端部に設けられたガイド部材及びテープ案内手段を筒状容器の外周面に当接させて、テーピング材をテープ案内手段を介して容器本体と該容器本体にはめこまれた蓋との境界線（部）に沿わせる。その後、治具本体を上蓋または下蓋上で回転させることにより、テーピング材をテープ案内手段で境界線（部）に沿って案内しながらテープホルダーから巻戻しつつ境界線部に張り付けるように作用する。
【０００９】
また、前記複数のアーム部材の内の少なくとも１つのアーム部材が固定アーム部材と該固定アーム部材に移動可能に設けられた移動アーム部材とからなる伸縮可能なアーム部材であるので、種々の外径の筒状容器の封函を行うことができるように作用する。
また、テープ案内手段及びテープホルダが半径方向外方に延びた前記１つのアーム部材の先端部に設けられているので、治具を小型化できるように作用する。
また、治具本体が前記蓋の中心部から３本のアーム部材を有する三つ又状に形成されているので、筒状容器の外周面に３方向からガイド部材等を当接させて治具本体を安定して回転させることができるように作用する。
さらに、前記テープホルダがアーム部材の半径方向外方に延びる先端部に上下位置を調節可能に設けられているので、蓋の高さが変わったり、テープ幅が変わっても容易に境界線部にテープを案内できるように作用する。
さらにまた、テープ案内手段が前記テーピング材を前記境界線部に接着する固定テーピングローラと、該固定テーピングローラに前記テーピング材を前記テープホルダから案内すると共に前記境界線部に接触可能に揺動する案内ローラと、前記固定テーピングローラと案内ローラとの間にテーピング材を切断する切断刃とからなるものとしているので、テープを切断してから容易に境界線部に案内し、所要の位置に張り付けることができるように作用する。
【００１０】
【発明の実施の形態】
以下、図面を参照しながら、本発明の実施の形態について説明する。ここに、図１〜図５は本発明の一実施例を示し、図１は平面図、図２は図１のＡ−Ａ線に沿う一アーム部材の側面図、図３は図１のＢ−Ｂ線に沿う他のアーム部材の側面図、図４はテーピング材を案内するテープ案内手段の一部を示す斜視図、図５はテーピング材の始端を境界線に張り付ける動作を示す平面図である。
【００１１】
本実施例の封函治具は、オールファイバドラムの上蓋上に載置して回転することによって粘着テープ等のテーピング材をファイバドラム全周にわたって巻回して封緘するための封函治具であって、概略すると、治具本体１は三つ又状に設けられた３本のアーム部材２、３及び伸縮アーム部材４から形成され、該３本のアーム部材２、３、４の先端部（半径方向外方）には筒状容器の外周面に当接して治具本体１の回転を案内するガイド部材６、７及びテープ案内手段８が設けられると共に、該３本のアーム部材２〜４の内の少なくとも１つのアーム部材であるアーム部材３の先端部には筒状容器の外周面に当接しつつ巻戻されたテーピング材を案内するテープ案内手段８が設けられると共に巻かれたテーピング材を保持するテープホルダ９が設けられて構成されている。オールファイバドラムである筒状容器１１の容器本体１２にはめ込まれた上蓋１３上に治具本体１を載置して、伸縮アーム部材５を半径方向中心部側に収縮させて、各アーム部材２、４のガイド部材６、７及びアーム部材３のテープ案内手段８を上蓋１３外周面に当接させる。
そして、テーピング材１０をテープホルダ９から巻戻してテープ案内手段８により始端を容器本体１２と上蓋１３との境界線１４に当接して接着させた後、治具本体１全体を回転することによってテープ案内手段８よって導かれるテーピング材１０を容器本体１２と上蓋１３との境界線部１４全周にわたって巻回して筒状容器１１を封函するようにしている。
【００１２】
治具本体１は、薄鋼板からなる板材をコ字状に折曲げ加工して形成された上蓋１３の半径方向外方に延びる３本のアーム部材２、３及び伸縮アーム部材４が周方向略等角度で固着されて一体形成されている。ここでは、治具本体１に用いる薄板鋼材として板厚１．６ｍｍの薄板鋼にユニクロームメッキの防錆処理を施したものを用いているが、これ以外にもアルミ鋼やステンレス鋼などを用いることもできる。また、治具本体１を板材をコ字状に折曲げ加工して形成することによって軽量化を図ることができる。
【００１３】
この治具本体１のアーム部材２〜４には、筒状容器１１の上面に載置されて上蓋１３外周端より内側上面に治具本体１の回転を容易にするためのキャスター１８が設けられている。このキャスター１８は各アーム部材２〜４内面に取り付けられる支持枠１９及びこの支持枠１９に回転自在に軸支された車輪２０とからなり、車輪２０はアーム部材の面から露出するように取り付けられている。また、アーム部材２、４の先端部には筒状容器１１の外周面、ここでは上蓋１３の外周面に臨むようにＬ字状に折曲された垂下部２ａ、３３ａが形成され、この垂下部２ａ、３３ａ内面にはガイド部材６が設けられている。ガイド部材６は、アーム部材２の垂下部２ａ、３３ａ内面に取り付けられた支持体２１と、この支持体２１に回転自在に軸支された車輪２２とからなり、これは市販のキャスターで構成することができる。
【００１４】
他の伸縮しないアーム部材３は、アーム部材２、４の場合と同様、回転を容易にするためのキャスター１８が設けられると共にテープ案内手段８が設けられている。また、このアーム部材３の先端部に回転ノブ５０を設け、治具本体１を回転ノブ５０を持って回転させるようにしている。テープ案内手段８は、図２に示すように、アーム部材３の先端部が筒状容器１１の外周面に臨むようにＬ字状に折曲されて垂下部３ａが形成され、この垂下部３ａの下端部にアーム座部材２３が設けられ、このアーム座部材２３の筒状容器１１の外周面に臨んでテープ案内手段８が設けられ、このテープ案内手段８より半径方向外方にはテープホルダ９が設けられている。
【００１５】
アーム部材３の先端部に配置されたテープホルダ９は、テーピング材１０の巻芯を被嵌する芯受部材２９と、この芯受部材２９から鍔状に形成されるテーピング材１０の高さを境界線近辺に位置させるスペーサー３０が回動可能に軸３１に軸支されて構成されている。芯受部材２９は、塩化ビニル樹脂、ポリアミド樹脂、ポリエチレン樹脂等のプラスチックを成形し、正多角形、例えば正三角形、正四角形、正五角形、正六角形、正八角形等の枠状に形成するのが好ましい。この芯受部材２９の対角長さ（外接円直径）は、テーピング材１０を装着した後で、これが脱落するのを防ぐとともに芯ずれをなくし、テーピング材を張り付けるときのテーピング材のゆがみ、反り等を防止し、筒状容器１１にしわのない美麗なテーピングを施すため、テーピング材の巻芯の内径よりわずかに大きくしている。テーピング材１０としては、通常５０ｍｍ幅と７５ｍｍが用いられるが、７５ｍｍ幅以外の５０ｍｍ幅や他の寸法のときはスペーサー３０を用いて中心線を調節することにより、テープホルダー９の位置調節可能としている。そして、テープホルダー９からテーピング材１０は、テープ案内手段８により案内されて境界線部１４に接着される。
【００１６】
テープ案内手段８の構成は、図４に示すように、テーピング材１０を前記境界線部１４に接着するための筒状容器１１の外周面に当接して回転する固定テーピングローラ２４が設けられ、この固定テーピングローラ２４を上下に挟んでこの固定テーピングローラ２４の回転軸に回動可能に一対の揺動アーム２５が設けられ、この揺動アーム２５の端部に案内ローラ２６が設けられ、固定テーピングローラ２４と案内ローラ２６間に切断刃２７が設けられている。固定テーピングローラ２４の回転軸の一端はアーム座部材２３に枢支され、他端はアーム部材３に軸支されている。固定テーピングローラ２４及び案内ローラ２６は、ウレタン樹脂から弾性を持たせて形成しているが、材質はこれに限られず、ゴム系又はエンジニアリングプラスチック系の材料から弾性を持たせて成形したものでよい。
【００１７】
また、テープ案内手段８の案内ローラ２６の手前側のテーピング材１０の搬送路には、ピンローラ４３，４４が、上下一対のピンプレート４５ａ，４５ｂに回動可能可能に設けられて介装されている。上ピンプレート４５ａは上取付部材４６ａを介して上揺動アーム２５に固着され、下ピンプレート４５ｂは下取付部材４６ｂを介して下揺動アーム２５に固着されている。ピンローラ４３はテーピング材１０の非粘着面に接触して案内するローラで、弾性、非弾性いずれのローラも使用できる。ピンローラ４４は、テーピング材１０の粘着面に接触して案内ローラ２６に案内するローラである。このピンローラ４４は、弾性、非弾性いずれのローラも使用できるが、このローラへのテーピング材の巻付を防止すると共に下方へのタレを防止するため、離型性の材料で形成するか、又は／共に接触面積を小さくするためラセン溝を形成するか、凹凸を形成する等の処理のされたローラを使用する。本実施例ではネジ棒を等間隔で旋削加工して用いているが、ローレット加工したものであってもよい。そして、テーピング材１０をピンローラ４３、４４で支えて、案内ローラ２６の周面の一部に沿わせ、そのまま案内ローラ２６を揺動して筒状容器１１の境界線部１４に当接して、テーピング材１０の接着を開始できるようにしている。
【００１８】
また、テープ案内手段８の案内ローラ２６の揺動は、固定テーピングローラ２４と同軸の回転中心を中心とした揺動アーム２５の揺動により行われ、筒状容器１１に当接して停止する位置と停止位置間で揺動するようになっている。この停止位置での停止は、端部の案内ローラ２６側にバネ部材４７の一端を取付部材４８ａに取付け、バネ部材４７の他端をアーム部材３に固着した取付部材４８ｂに取付け、バネ部材４７に停止位置方向へ付勢していると共にアーム部材３側にストッパ４９を設け、このストッパ４９に揺動アーム２５部が当接して所定の案内ローラ２６の停止位置を確保するようにしている。そして、切断刃２７で切断したテーピング材１０の始端を案内ローラ２６に接触させた状態（図５（ａ））から、案内ローラ２６部に力を加えて揺動させて筒状容器１１に接触させてテーピング材１０を筒状容器１１に接着し（図５（ｂ）、力を除いてバネ部材４７の付勢力で案内ローラ２６を元の状態に復帰させ、回転ノブ５０を操作して治具本体１を回転させて封函作業を行う。
【００１９】
切断刃２７を治具本体１を筒状容器１１に載置してから操作するように、切断刃２７は切断刃ホルダー２８に取付けられ、切断刃ホルダー２８は切断刃操作ノブ５１に固着され、切断刃操作ノブ５１がアーム部材３の上面に突出して上下動可能に設けられている。通常は、切断刃２７をテーピング部材１０の通過路より下方に位置させて置き、テーピング部材１０を切断する時は切断刃操作ノブ５１を引き上げることにより切断刃２７をテーピング部材１０を横切って引上げて切断する。切断刃２７は、内刃形状をＶ字形状に形成することが好ましく、このように形成することにより、刃がテーピング部材に対して多少の角度を持って上昇動するので、刃の前進だけでテーピング部材を容易に切断することができる。
【００２０】
伸縮アーム部材４は、治具本体１を一体形成している前記固定アーム部材４ａと、この固定アーム部材４ａ上の先端部に設けたリニアベアリング３２を介して固定アーム部材４ａに沿って移動可能に装着された移動アーム部材３３とから構成されている。リニアベアリング３２は、スライドレール３２ａと多数のボール（図示せず）を内蔵したプレート３２ｂとを有し、スライドレール３２ａに沿ってボールが転動してプレート３２ｂが直線運動するものであり、スライドレール３２ａが固定アーム部材４ａ上面にねじ等で取着され、プレート３２ｂが移動アーム部材３３下面にねじ等で取着されている。また、移動アーム部材３３は固定アーム部材４ａと同様に薄板鋼材をコ字状に板金加工して形成している。
【００２１】
そして、伸縮アーム部材４の固定アーム部材４ａの先端部上にリニアベアリング３２を介して装着された移動アーム部材３３は、アーム部材２、３と同様に、筒状容器１１外周面、ここでは上蓋１３外周面に臨むようにＬ字状に折曲された垂下部３３ａが形成され、ここにガイド部材６と同様の支持体２１と、この支持体２１に回転自在に軸支された車輪２２とからなるガイド部材７が設けられている。また、上蓋１３外周面より内側上面に治具本体１の回転を容易にするための前記車輪２０が設けられている。これらの車輪部は前同様に市販のキャスターで構成することができる。
【００２２】
さらに、伸縮アーム部材４の中央部の上面に横倒し型トグルクランプ３４を配設している。このトグルクランプ３４は取付けフレーム３５上に設けられた支持枠３６にレバー３７が回動可能に軸支され、このレバー３７に、取付けフレーム３５上に設けられた支持部材３８内に摺動可能に挿通された、ロッド３９の一端部が取付けられている。このロッド３９の他端部は前記移動フレーム３３内に挿通されて端部に係止板４０が固着され、この係止板４０と移動フレーム３３の壁板部３３ｂとの間にスプリング４１が介装されている。これにより、トグルクランプ３４のレバー３７を倒すことによってスプリング４１の復元力によって移動アーム部材３３が中心部方向に移動して収縮アーム部材４が収縮し、レバー３７を戻すことによってスプリング４１の復元力によって移動アーム部材３３が外周方向に移動して収縮アーム部材４が伸びるようにされている。なお、スプリング４１としては、ここでは外径１６ｍｍ，線径１．６ｍｍ及びばね定数０．１ｋｇ／ｍｍの圧縮ばねを用いている。
【００２３】
また、治具本体１の中央部上面には運搬用の取手４２がアーム部材２と４に溶接にて固着されている。この取手４２は運搬時に封函治具が不安定姿勢にならないように、封函治具の重心位置に設けられ、ここでは直径１０ｍｍに棒鋼をコ字上に折曲げ加工して形成されている。さらに、アーム部材３には治具本体１を回転操作するための回転ノブ５０が回転可能に固着されている。
【００２４】
次に、本実施例の封函治具を用いて筒状容器１１を封函する作業（作用）について説明する。まず、治具本体１のトグルクランプ３４のレバー３７を図３の仮想線図示の位置にして収縮アーム部材４の移動アーム３３が図３に示すように後退した状態、すなわちガイド部材７の車輪２２が筒状容器１１の上蓋１３外周面に接しない状態にした後、本封函治具本体１を筒状容器１１の上蓋１３上に載置する。このとき、上記のように収縮アーム部材４は伸びた状態になっているので、ガイド部材６及び案内手段８の固定テーピングローラ２４は筒状容器１１の上蓋１３外周面に接触すさせることなく、容易に治具本体１を上蓋１３上に載置し、装着することができる。
【００２５】
その後、トグルクランプ３４のレバー３７を図３の実線位置まで倒して移動アーム部材３２を中心部方向に移動させて伸縮アーム部材４を収縮することによって、移動アーム部材３３に設けられたガイド部材７の車輪２２がスプリング４１の復元力によって筒状容器１１の上蓋１３外周面に押し付けられ、これによって他のアーム部材２、３のガイド部材６の各車輪２２及び固定テーピングローラ２４も筒状容器１１の上蓋１３外周面に押し付けられる。このとき、治具本体１には略等角度で３本のアーム部材２〜４が設けられているので、ガイド部材６、７及び固定テーピングローラ２４は略均等な力で上蓋１３外周面に押し付けられる。
【００２６】
また、上記のように移動アーム部材３３が中心部方向に移動することによって他の固定アーム部材２，３が中心部方向に前進するので、テープ案内手段８の固定テーピングローラ２４は容器本体１２と上蓋１３との境界線（部）１４の位置に前進して当接する。
【００２７】
次いで、テープホルダー９かテーピング材１０を巻き出し、テープ案内手段８のピンローラ４３，４４を経て案内ローラ２６部に沿わせるまで始端を引出す、それから、揺動アーム２５を揺動して、案内ローラ２６でテーピング材１０を容器本体１２と上蓋１３との境界線（部）１４の位置に押し付けて接着する。その後は脱力して案内ローラ２６を筒状容器１１から離反させてストッパ４９に係止させて停止位置に位置させる。次いで、回転ノブ５０を持って、治具本体１の回転操作をすることによって、治具本体１は各アーム部材２、４のガイド部材６、７が上蓋１３外周面に当接して治具本体１の回転を案内すると同時に固定テーピングローラ２４でテーピング材１０を押圧すると同時に回転を案内するので、円滑且つ安定して上蓋１３上で回転し、治具本体１が回転することでテーピング材１０を押圧してテープホルダー９から巻き出しながら接着しつつ移動するので、筒状容器１１の全周にわたってテーピング材１０が接着される。
【００２８】
そして、全周を巻き終わったら切断ノブ５１を引き上げることにより、切断刃２７でテーピング材１０を切断し、さらに回転させてテーピング材１０を完全に筒状容器１１に接着させる。この場合、ガイド部材６、７が上記のようにスプリング４１の復元力で上蓋１３に所定の力で押し付けられているので、容器１３が多少の楕円形状をしていても固定テーピングローラ２４でテーピング材１０を略一定に保って押し付けることができる。その後、トグルクランプ３４のレバー３７を元の状態に戻して移動フレーム部材３３を戻してガイド部材６、７及び固定テーピングローラ２４を上蓋１３外周面から後退させた状態にして、治具本体１を上蓋１３上から取り外す。
【００２９】
このように治具本体１を上蓋１３上に載置して回転することによってテーピング材１０が筒状容器１１の全周にわたって簡単且つ容易に接着されて容器本体１２に上蓋１３を封函することができるように作用する。
【００３２】
【発明の効果】
以上の説明より明らかなように、本発明の封函治具によれば、治具本体を筒状容器の蓋上に載置して回転させるだけで筒状容器の外周面に沿ってテーピング材を接着することができるので、各種の形状、寸法の容器に対応が可能で汎用性があり、簡単な作業で、容易に封函作業を行うことができ、さらに可搬性も得られるという効果を有する。
【００３３】
また、伸縮可能なアーム部材を有するので、種治具本体を筒状容器の蓋上に載置して回転させるだけで筒状容器の外周面に沿ってテーピング材を接着することができるので、種々の外径の筒状容器の封函を行うことが可能になるという効果を有する。
また、テープ案内手段及びテープホルダが半径方向外方に延びた前記一つのアーム部材の先端部に設けられているので、治具を小型化でき、治具本体を筒状容器の蓋上に載置して回転させるだけで筒状容器の外周面に沿ってテーピング材を容易に接着することができるという効果を有する。
また、筒状容器の外周面に３方向からガイド部材等を当接させて治具本体を安定して回転させることができ、治具本体を回転させるだけで筒状容器の外周面に沿ってテーピング材を接着することができるので、安定性が向上するという効果を有する。
さらに、治具本体を筒状容器の蓋上に載置して回転させるだけで筒状容器の外周面に沿ってテーピング材を接着することができるので、上テーピング材の幅が変わった場合にも容易に対応することができ、一層汎用性が向上するという効果を有する。
さらにまた、固定テーピングローラに前記テーピング材を前記テープホルダから案内すると共に前記境界線部に接触可能に揺動する案内ローラが設けられているので、接着開始の作業が簡単になり、テーピング材の接着による封函作業の能率を向上させることができる。また、前記固定テーピングローラと案内ローラとの間にテーピング材を切断する切断刃が設けられているので、接着開始から終了までの封函作業が簡単にでき、作業の能率を向上させることができる。
【図面の簡単な説明】
【図１】本発明の一実施例の平面図である。
【図２】図１のＡ−Ａ線に沿う側面図である。
【図３】図１のＢ−Ｂ線に沿う断面図である。
【図４】テープ案内手段の要部を示す斜視図である。
【図５】テープ案内手段切の動作を示す平面図である。
【符号の説明】
１・・・治具本体、２，３・・・アーム部材、４・・・伸縮アーム部材、６，７・・・ガイド部材、８・・・テープ案内手段、９・・・テープホルダ、１０・・・テーピング材、１１・・・筒状容器、１２・・・容器本体、１３・・・上蓋、１４・・・境界線（部）、１８・・・キャスター、１９・・・支持枠、２０・・・車輪、２１・・・支持体、２２・・・車輪、２３・・・アーム座部材、２４・・・固定テーピングローラ、２５・・・揺動アーム、２６・・・案内ローラ、２７・・・切断刃、２８・・・切断刃ホルダー、２９・・・芯受部材、３０・・・スペーサー、３１・・・軸、３２・・・リニアベアリング、３２ａ・・・スライドレール、３２ｂ・・・プレート、３３・・・移動アーム部材、３３ａ・・・垂下部、３３ｂ・・・壁板部、３４・・・横倒し型トグルクランプ、３５・・・取付けフレーム、３６・・・支持枠、３７・・・レバー、３８・・・支持部材、３９・・・ロッド、４０・・・係止板、４１・・・スプリング、４２・・・取手、４３，４４・・・ピンローラ、４５ａ，４５ｂ・・・ピンプレート、４６ａ，４６ｂ・・・取付部材、４７・・・バネ、４８・・・取付部材、４９・・・ストッパ、５０・・・回転操作ノブ、５１・・・切断刃作動ノブ
【図１】
0003624276.tif 000002
【図２】
0003624276.tif 000003
【図３】
0003624276.tif 000004
【図４】
0003624276.tif 000005
【図５】
0003624276.tif 000006